(57)【要約】【課題】    電気浸透脱水における電極間の印加電圧を高めさせる高効率な電気浸透脱水方式の実現と提供。【解決手段】ドラム電極を備え、ドラム電極の周囲に異なる無限軌道或いはエンドレスに構成される複数な脱水濾帯を複数に絶縁分割され絶縁連結されて構成される一体の連結無限軌道電極に所持させ且つ連結無限軌道電極の両端を開放させてドラム電極周囲に設け備えて配置させ、その開放する連結無限軌道電極の両端軸及び両軸端其々をフレームに絶縁させて支持させ、脱水濾帯に供給する汚泥をドラム電極に備える緊張手段と連結無限軌道電極を駆動させて構成する脱水方式に三相交流電源の単相電源各々を単独に分岐させて連結無限軌道電極を構成させる絶縁分割された無限軌道電極其々に接続させ、ドラム電極を経由或いは介し半導体を用いて三相交流電源の単相電源を環帰させる電気浸透脱水方式。【選択図】  図１
2005161283.tif 000002
【特許請求の範囲】
【請求項１】
回転、通電を可能とする所定サイズの複数な軸（１）を一方向所定な間隔に配列し、その上記軸に通電及び脱水且つ屈曲自在な無限軌道の回転を可能とする所定サイズの無限軌道帯（２）を外接させて支持し屈曲自在な無限軌道電極（３）を複数に備え、上記無限軌道電極各々を支持し構成する上記両端軸の一方同士及びその両軸端同士を所定の間隔及び屈曲自在且つ絶縁、回転可能に連結（４）し両端を開放する一連の連結無限軌道電極（５）を構成させ、上記連結無限軌道電極を開放する上記両端軸の軸両端其々を所定のフレーム（１０）に回転及び絶縁且つ揺動を可能にさせて支持（１１）し上記連結無限軌道電極を上記フレームに懸垂させ、上記連結無限軌道電極に回転及び通電且つ脱水、緊張を可能とさせる所定サイズのドラム電極（６）を懸垂或いは懸架させて所持させ、尚上記ドラム電極と上記連結無限軌道電極の接触面に単体或いは二重な所定サイズの脱水濾帯（７、８）をエンドレス或いはその両端を開放させて通し備え、上記脱水濾帯の間或いは上記脱水濾過帯と上記ドラム電極の接合面に汚泥（９）を供給し上記ドラム電極或いは上記連結無限軌道電極を駆動回転させて脱水する脱水方式に有って、上記連結無限軌道電極を絶縁分割する上記無限軌道電極各々単独に三相交流電源の単相電源（Ｒ、Ｓ、Ｔ）各々を分岐させて接続或いは接触させ、三相交流電源を上記無限軌道電極の各々から交互に上記ドラム電極を介して単相正電荷各々を帰還させ、上記連結無限軌道電極と上記ドラム電極間の汚泥に電気浸透作用を働かせる電気浸透脱水方式。
【請求項２】
請求項１に記載の電気浸透脱水方式に有って、ドラム電極（６）の円筒外周面に所定サイズのドラムライナー（１８）を装着させ、そのドラムライナーを脱着交換させてドラム電極を構成させる電気浸透脱水方式。
【請求項３】
請求項１、２に記載の電気浸透脱水方式に有って、三相交流電源の正電荷方向を逆にする電気浸透脱水方式。
【請求項４】
請求項１、２、３に記載の無限軌道帯（２）に有って、連結無限軌道電極（５）を構成する複数な無限軌道電極（３）の複数な連結（４）と複数な上記無限軌道帯其々の無限軌道を解除し、その解除された無限軌道帯其々を一連の単独な通電及び無限軌道回転そして脱水を可能とする無限軌道電極（１７）に変え、その一体な無限軌道電極の一連な無限軌道を複数な所定間隔の分割電極帯（１６）に絶縁分割させる複数な所定サイズの絶縁帯（１５）を所定な位置に設けて分割し連結させ、一連一体の分割無限軌道電極（１７）に変えて備え、支持させる軸（１）を絶縁し、備えるドラム電極（６）の回転外周面と絶えず回転移動し近接する上記分割無限軌道電極の絶縁分割された上記分割電極帯各々に三相交流電源の単相電源其々を其々単独に分岐させて接触或いは接続させ、三相交流電源の正電荷を上記各々の絶縁分割された分割電極帯から交互に上記ドラム電極を介して帰還させ、上記分割電極帯と上記ドラム電極間の汚泥に電気浸透作用を働かせる電気浸透脱水方式。
【請求項５】
請求項４に記載の電気浸透脱水方式に有って、三相交流電源の単相正電荷方向を逆にする電気浸透脱水方式。
【発明の詳細な説明】
【発明の詳細な説明】
【技術分野】
【０００１】  本発明は、電気浸透脱水方式に関する。
【背景技術】
【０００２】  従来の電気浸透脱水方式は、その印加電源に直流電源を用いていることから電極間の印加電圧を高めることが難しいとされてきた。それらは脱水する汚泥性状の低い電気的抵抗値に起因し、過電流な現象を絶えず生じさせることから電極間の電圧降下現象を余儀なくされ、低電圧な電気浸透脱水に甘んじてきた。仮に電気的な抵抗体或いはその手段を印加電流回路に用いた場合、その備える抵抗手段の前後に電圧を高めさせるだけで電極間或いは電極間の汚泥に高い印加電圧を作用させることには至らなかった。電気浸透作用とその効率は、印加電力が大きく関係し、印加電圧と印加電流の積が左右させている。等しい消費電力を対象とする時、高い印加電圧を用いることが電気浸透力、作用時間の効率を高めさせる。結果、有効に電気浸透脱水方式の印加電圧を高める課題が提起されてきた。
【発明が解決しようとする課題】
【０００３】  本発明は、電気浸透脱水方式における電気浸透印加電力の電極間印加電圧を高めさせることで高効率な電気浸透脱水方式を実現させ、提供することに有る。
【課題を解決するための手段】
【０００４】  本発明は、下記の手段を構成させて用い電気浸透脱水方式における電極間印加電圧の降下を抑制させ、電気浸透脱水の効率を高めさせている。
【０００５】  支持軸（１）に支持され通電、回転、屈曲自在な３基の無限軌道電極（３）を絶縁連結（４）させ、通電を分割する一体の連結無限軌道電極（５）を備えるドラム電極（６）周囲にその両端軸を開放させて配置させ、その開放する両端軸の両軸端其々を所定のフレーム（１０）に支持（１１）させ、フレームに支持され回転、絶縁、揺動を可能とする連結無限軌道電極にドラム電極（６）を懸架させて所持させ、更にそのドラム電極と連結無限軌道電極の間に脱水濾帯（７，８）を挟み込んで通し、その脱水濾帯の間或いはドラム電極との間に汚泥を供給し、ドラム電極と備える緊張手段（１２）或いはドラム電極或いは連結無限軌道電極の駆動回転に連れ汚泥を脱水させる脱水方式を構成させている。
【０００６】  そして、一体に構成された連結無限軌道電極の絶縁分割される無限軌道電極
各々（３）に三相交流電源の単相電源（Ｒ、Ｓ、Ｔ）各々を接続或いは接触させ、単相電源の正電荷（電子）を脱水させる汚泥（９）及びドラム電極（６）を経由或いは介して帰還（ＲＳＴ）させ、複数に構成する脱水汚泥印加電極面を交互に変え変化させながら電気浸透電極間における印加電圧の降下現象を制御或いは抑制させている。
【０００７】  また一方、ドラム電極の周囲に配置し連結無限軌道電極（５）の無限軌道電極（３）を構成する無限軌道帯（２）の無限軌道を解除させ、絶縁帯（１５）及び分割電極帯（１６）を相互所定の間隔に備え屈曲自在に連結させて構成する一連一体の分割無限軌道電極（１７）に変えて備え、支持させる軸（１）を絶縁し、備えるドラム電極（６）の回転外周面と絶えず回転移動し近接する分割無限軌道電極（１７）の絶縁分割された分割電極帯各々（１６）に三相交流電源の単相電源其々（Ｒ、Ｓ、Ｔ）を其々単独に分岐させて接触或いは接続させ、三相交流電源の正電荷を各々の分割電極帯（１６）から交互にドラム電極（６）を経由或いは介して帰還させ、分割電極帯（１６）とドラム電極（６）間の汚泥（９）に電気浸透作用を働かせる電気浸透脱水方式を構成させている。
【発明を実施するための最良の形態】
【０００８】  本発明は三相交流電源の単相電源を直接電極面に用いる３極の分割された電極と単体の三相交流電源帰還電極により構成される電気浸透脱水処理方式であり、その実施形態を図１、２を参照して説明する。【０００９】  脱水機構を支持させるフレーム（１０）は立体を形成し強度を所持させ、形状は特に限定されない。
無限軌道電極（３）の構成は、一般のチエーンスプロケットを複数備えるシャフトにチエーンをエンドレスに配置或いは装着させ、そのチエーンにアタッチメントを用いてフラットバーを固定させる程度のキャタピラー形状をイメージ。
フラットバーには脱水口を設け脱離水の排出を促す。無限軌道電極（３）を絶縁分割させ連結させる絶縁連結（４）は軸の回転、絶縁、屈曲、を可能とさせ所定の強度を所持させる。
連結無限軌道電極（５）、分割無限軌道電極（１７）の懸垂支持は、上記同様フレームに絶縁、回転、揺動を可能とさせ、ドラム電極（６）、備える緊張手段（１２）及び分割無限軌道電極（１７）の荷重、運転動作に耐える強度を所持させる。緊張手段は、梃子或いは滑車の原理を用いる程度で、強力な緊張力は必要としない。更に連結無限軌道電極（５）或いは分割無限軌道電極（１７）及びドラム電極（６）の回転駆動はそれらの何れかを回転駆動させればよい。
分割無限軌道電極とドラム電極の間に備える脱水濾帯は、樹脂製の織り込み網で所定の強度を所持する通常の脱水濾布を用いる。また脱水濾帯はエンドレスの形状を用い、濾布の支持は複数のローラーを用いて環巻させエンドレスを形成させる。供給する脱水汚泥は用いる二重濾布の間或いは単体濾布とドラム電極間に供給し、供給位置、及び脱水ケーキ剥離手段を備えればよい。【００１０】  無限軌道電極（３）に印加する三相交流電源の単相電源（Ｒ、Ｓ、Ｔ）は回転体と接触ブラシを備え無限軌道電極を構成する軸（１）から供給させる。またドラム電極から環帰させる三相交流電源の単相電源其々は半導体を用い短絡（ショート）させない回路を設けて環帰させる。【００１１】  ドラム電極の表面は電解溶質を起し消耗する為にドラムライナー（１８）を装着させて構成させる。そして安価な材料（鉄）のドラムライナーを着脱交換させて更新させる。【００１２】  また無限軌道帯（２）の無限回転軌道を解除させ、シャフトチエーン、絶縁スプロケット、フラットバー及び一部絶縁チエーンを用いて一連一体の分割無限軌道電極（１７）を構成させる。【００１３】  三相交流電源の単相電源供給は軸（１）が使用できないことから分割電極帯（１６）に接触させるブラシ構造の電気供給手段を備えて構成させる。三相交流電源の単相電源環帰回路は上記同様に半導体を用いて回路を構築する。
【実施例】
【００１４】  実施例について図１、図２、図３を参照し説明する。【００１５】  軸（１）に無限軌道帯（２）を備えて無限軌道電極（３）を３基設け、それらの両端軸一方同士を絶縁させてその軸の両端同士を連結させて連結無限軌道電極（５）を形成させて設ける。
そして連結無限軌道電極（５）の開放された両端軸（１）の両軸端相互を回転可能且つ絶縁、揺動を可能とさせ、尚ドラム電極（６）を懸架させてフレーム（１０）に支持（１１）させる
フレーム（１０）に数本のローラーを配置させて脱水濾帯（７、８）を環巻きさせてエンドレス軌道を構成させ、連結無限軌道電極（５）或いは分割無限軌道電極（１７）とドラム電極（６）の間に通しドラム電極（６）の緊張手段（１２）を用いて所持或いは支持させる。【００１６】  三相交流電源の単相電源其々（Ｒ、Ｓ、Ｔ）を連結無限軌道電極（５）を構成する各々の分割された無限軌道帯（２）に軸各々（１）を介して接続させる。また分割無限軌道電極（１７）を構成し、ドラム電極（６）の回転外周面と絶えず回転移動し近接する上記分割無限軌道電極の絶縁分割された分割電極帯各々（１６）に上記同様三相交流電源の単相電源其々（Ｒ、Ｓ、Ｔ）を接触させて接続させる。
また上記同様に半導体を用いて三相交流電源の単相電源其々（Ｒ、Ｓ、Ｔ）を其々に環帰させる。【００１７】  脱水濾帯（７、８）の間隙に供給する汚泥（９）は、備える脱水濾帯の双方重積されないエンドレス環巻きの其々軌道近接部にホッパーを設けて供給する。また其々の回転軌道を連結無限軌道電極（５）或いは分割無限軌道電極（１７）及びドラム電極（６）或いは脱水濾帯（７、８）の何れかを回転駆動させる。
【発明の効果】
【００１８】  本発明は、以上説明したような形態で実施され以下に記載されるような効果を生む。
【００１９】  汚泥の電気浸透脱水における電極間の印加電圧降下を抑制させ、変圧器から供給或いは印加される任意な設定電圧値の９０％を維持させることが可能な為に従来難しいとされてきた高い印加電圧の電気浸透脱水を可能とさせる。
【００２０】  高い電圧の電気浸透脱水を可能とさせることで脱水処理量或いは脱水性能の等しい場合は、消費電力の大幅な削減を可能にし、また消費電力を基準とした場合、脱水処理量或いは脱水処理時間に大きな利点を生む。
【図面の簡単な説明】
【図１】連結無限軌道電極（５）及びドラム電極（６）の構成図
【図２】分割無限軌道電極（１７）及びドラム電極（６）の構成図
【図３】電気浸透脱水機の実施例
【符号の説明】
１                  軸（支持軸）
２                  無限軌道帯
３                  無限軌道電極
４                  絶縁連結
５                  連結無限軌道電極
６                  ドラム電極
７                  脱水濾帯
８                  脱水濾帯
９                  汚泥
１０                フレーム
１１                支持
１２                緊張手段
Ｒ                  三相交流の単相電源
Ｓ                  三相交流の単相電源
Ｔ                  三相交流の単相電源
ＲＳＴ              三相交流の環帰電源
１５                絶縁帯
１６                分割電極帯
１７                分割無限軌道電極（１７）或いは無限軌道電極
Ｒ１                三相交流電源の単相電源
Ｓ１                三相交流の単相電源
Ｔ１                三相交流の単相電源
ＲＳＴ１            三相交流の環帰電源
【図１】
2005161283.tif 000003
【図２】
2005161283.tif 000004
【図３】
2005161283.tif 000005
【手続補正書】
【提出日】平成16年3月4日(2004.3.4)
【手続補正１】
【補正対象書類名】特許請求の範囲
【補正対象項目名】全文
【補正方法】変更
【補正の内容】
【特許請求の範囲】
【請求項１】
回転、通電を可能とする所定サイズの複数な軸（１）を一方向所定な間隔に配列し、その上記軸に通電及び脱水且つ屈曲自在な無限軌道の回転を可能とする所定サイズの無限軌道帯（２）を外接させて支持し屈曲自在な無限軌道電極（３）を複数に備え、上記無限軌道電極各々を支持し構成する上記両端軸の一方同士及びその両軸端同士を所定の間隔及び屈曲自在且つ絶縁、回転可能に連結（４）し両端を開放する一連の連結無限軌道電極（５）を構成させ、上記連結無限軌道電極を開放する上記両端軸の軸両端其々を所定のフレーム（１０）に回転及び絶縁且つ揺動を可能にさせて支持（１１）し上記連結無限軌道電極を上記フレームに懸垂させ、上記連結無限軌道電極に回転及び通電且つ脱水、緊張を可能とさせる所定サイズのドラム電極（６）を懸垂或いは懸架させて所持させ、尚上記ドラム電極と上記連結無限軌道電極の接触面に単体或いは二重な所定サイズの脱水濾帯（７、８）をエンドレス或いはその両端を開放させて通し備え、上記脱水濾帯の間或いは上記脱水濾過帯と上記ドラム電極の接合面に汚泥（９）を供給し上記ドラム電極或いは上記連結無限軌道電極を駆動回転させて脱水する脱水方式に有って、上記連結無限軌道電極を絶縁分割する上記無限軌道電極各々単独に三相交流電源の単相電源（Ｒ、Ｓ、Ｔ）各々を分岐させて接続或いは接触させ、三相交流電源を上記無限軌道電極の各々から交互に上記ドラム電極を介して単相正電荷各々を帰還させ、上記連結無限軌道電極と上記ドラム電極間の汚泥に電気浸透作用を働かせる電気浸透脱水方式。
【請求項２】
請求項１に記載の電気浸透脱水方式に有って、ドラム電極（６）の円筒外周面に所定サイズのドラムライナー（１８）を装着させ、そのドラムライナーを脱着交換させてドラム電極を構成させる電気浸透脱水方式。
【請求項３】
請求項１、２に記載の電気浸透脱水方式に有って、三相交流電源の正電荷方向を逆にする電気浸透脱水方式。
【請求項４】
請求項１、２、３に記載の無限軌道帯（２）に有って、連結無限軌道電極（５）を構成する複数な無限軌道電極（３）の複数な連結（４）と複数な上記無限軌道帯其々の無限軌道を解除し、その解除された無限軌道帯其々を一連の単独な通電及び無限軌道回転そして脱水を可能とする無限軌道電極（１７）に変え、その一体な無限軌道電極の一連な無限軌道を複数な所定間隔の分割電極帯（１６）に絶縁分割させる複数な所定サイズの絶縁帯（１５）を所定な位置に設けて分割し連結させ、一連一体の分割無限軌道電極（１７）に変えて備え、支持させる軸（１）を絶縁し、備えるドラム電極（６）の回転外周面と絶えず回転移動し近接する上記分割無限軌道電極の絶縁分割された上記分割電極帯各々に三相交流電源の単相電源其々を其々単独に分岐させて接触或いは接続させ、三相交流電源の正電荷を上記各々の絶縁分割された分割電極帯から交互に上記ドラム電極を介して帰還させ、上記分割電極帯と上記ドラム電極間の汚泥に電気浸透作用を働かせる電気浸透脱水方式。
【請求項５】
請求項４に記載の電気浸透脱水方式に有って、三相交流電源の単相正電荷方向を逆にする電気浸透脱水方式。
【請求項６】
請求項１、２、３に記載の連結無限軌道電極（５）に有って、ドラム電極（６）をフレーム（１０）に固定させて支持し、その回転周囲に複数配置させて備える無限軌道電極（３）の絶縁された連結（４）に緊張手段を備えて上記連結無限軌道電極を構成させる電気浸透脱水方式。
【請求項７】
請求項２に記載のドラムライナー（１８）に有って、上記ドラムライナーを複数に、また軸方向平行或いは軸方向直角に三分割させ、分割する其々のドラムライナーを絶縁させ三相交流電源の単相帰還電流各々を通電させて構成する電気浸透脱水方式。
【請求項８】
請求項４に記載の分割無限軌道電極（１７）にあって、その分割電極帯（１６）を絶縁させて連結する絶縁帯（１５）を排除し、一体の無限軌道電極帯に変え、その無限軌道電極帯をその回転方向にその回転全周を三分割させ、その其々を絶縁し三相交流電源の単相期間電流各々をドラム電極（６）に経由させ通電させて構成する電気浸透脱水方式。